Podtech/llm-jp-corpus-v4-ja_patent huggingface dataset:
(57)【要約】      （修正有）【課題】ゴルフプレーヤーがスタート前にフォークの携帯をしなかったために、グリーン上のボール痕が適切に修復されずに放置されているのを解消するフォークと、スコア記録用の鉛筆とを一体化したフォーク付き鉛筆の提供。【解決手段】鉛筆にフォークをつけることによって、全プレーヤーが必然的に携行し、グリーン上のボール痕の修復を容易にさせる。【選択図】図１
0003118807.tif 000002
【実用新案登録請求の範囲】
【請求項１】
ゴルフ場のグリーン上に残るボール痕の補修用フォークとスコアカード記録用鉛筆とを一体化させたフォーク付き鉛筆。
【考案の詳細な説明】
【技術分野】
【０００１】本考案は、ゴルフ場で使用する用具に関する。
【背景技術】
【０００２】従来のフォークと鉛筆はそれぞれ別個のものであった（図２）。
【考案の開示】
【考案が解決しようとする課題】
【０００３】しかし、近年のゴルフプレーヤーの多くは、スコアカードとそれにスコアを記録する鉛筆は、スタートの前に忘れなく保持するが、ゴルファーのマナーとして大事なグリーン上のボール痕を補修するフォークを持ってスタートする人が減ってきている。そのために、グリーン面が傷んだまま放置されている場合がよくある。
【課題を解決するための手段】
【０００４】そこで、フォークと鉛筆を一体化してみると、プレーヤーは各自スタートの際に、忘れることなくフォークと鉛筆の両方を持ったことになり、スコアの記録はもとより、グリーン上に残ったボール痕を修復しやすくする。
【考案の効果】
【０００５】よって、本考案のフォーク付き鉛筆により、従来、グリーン上のボール痕の補修には消極的であったプレーヤーが、より積極的に修復するようになり、ゴルファーのマナーの向上に役立ち、すべてのゴルファーに気分よくプレーしてもらえ、尚且つ、ゴルフ場の管理面でも役立つ。
【考案を実施するための最良の形態】
【０００６】  本考案に係るフォーク付き鉛筆は図１に示すように鉛筆部とフォーク部は同一素材で出来ていて、鉛筆として持つ部分と、フォークとして持つ部分が違和感なく、心地よく、なお、それぞれの目的に合った強度を確保する。また、スコアカードに挟んだり、ポケットに挟むことが可能なように、本考案の中央部に留め具をつけるとよい。
【図面の簡単な説明】
【０００７】
【図１】  本考案に係るフォーク付き鉛筆を斜め上から見たところである。
【図２】  従来のフォークと鉛筆の斜め上からの図である。
【符号の説明】
【０００８】  １    鉛筆部
２    フォーク部
３    フォーク
４    鉛筆
【図１】
0003118807.tif 000003
【図２】
0003118807.tif 000004
(57)【要約】      （修正有）【課題】衣類の商品撮影時に服以外の所に目がいくことなく自然に綺麗な形で誰でも簡単に撮影することが出来るようにする。【解決手段】ボディ本体（１）から首部（２）を凹形状にし肩（３）で支持することにより服を着せても首周りがすっきりとし、服の形が判らなくなるような大きなしわが出来なくなった。さらに肩用パット（４）を設けることによってあらゆる服に対応でき、そして重量のある支柱をつけずに撮影用スタンドに合う短い支柱（５）を付けたことによって誰にでもセッティングが出来、簡単に撮影できるようになった。【選択図】図１
0003118804.tif 000002
【実用新案登録請求の範囲】
【請求項１】
肩部を有し、首部を凹形状にして衣類の襟ぐりから什器が露出しないようにした撮影用衣類支持具。
【請求項２】
肩用パットを設けた請求項１に記載の撮影用衣類支持具。
【請求項３】
下部に撮影用スタンドに差し込む支柱をつけた請求項１又は請求項２に記載の撮影用衣類支持具。
【考案の詳細な説明】
【技術分野】
【０００１】本考案は衣料の商品撮影時に必要のないマネキンの首部分やハンガーの吊り下げ部分をなくし、商品のみが自立して見えるように考案したものである。
【背景技術】
【０００２】従来のマネキンは商品展示目的の物ばかりで首部分が開いている撮影にも使えるような物がなかった。
【考案の開示】
【考案が解決しようとする課題】
【０００３】上着の商品撮影をする時に使用するボディには首部分がついており、襟後方の形がわからない、胴体部分が立体になっており服の形がわかりずらい、などがありハンガーで代用する場合にも商品から出ているハンガー部分に目がいってしまう、中が空洞なのでしわが寄ってしまうなどの問題を解決するために考案したものである。
【課題を解決するための手段】
【０００４】ボディ（１）から首部（２）を凹形状にし肩（３）で支えることによって首まわりをすっきりと見せて肩用パット（４）を設けたことによりあらゆる形の服に対応できるようにし、そしてボディに厚みをもたせないことで服の形がよく見えるようにしました。
【考案の効果】
【０００５】撮影の対象物となる服だけに目がいくようになった。
不自然なしわが出来ずに商品の形がよく見えるようになり、ハンガーにかけなくてもハンガーにかけたような自然な立体感が出るようになった。さらに下部に撮影用スタンドと同じ径の支柱を付ける事によりどこにでも持ち運べ、誰にでも簡単に使用できるようにしました。
【図面の簡単な説明】
【０００６】
【図１】本考案の正面を示した平面図である。
【符号の説明】
【０００７】（１）  ボディ
（２）  首部
（３）  肩
（４）  肩用パット
（５）  支柱
【図１】
0003118804.tif 000003
(57)【要約】      （修正有）【課題】容器側からストローを分離し所定の箇所に差し込むという動作が不要となる飲料容器の提供。【解決手段】ストローの一定部分を蛇腹方式とし、この蛇腹部分をバネとして、所定の開閉蓋を開封すると同時に、吸い口部分が飛び出す方式とする。【選択図】図１
0003118806.tif 000002
【実用新案登録請求の範囲】
【請求項１】
ストロー内蔵を特徴とする飲料用容器
【考案の詳細な説明】
【技術分野】
【０００１】  本考案は、清涼飲料、乳飲料等のいわゆる紙パックまたはプラスチックパックなどの飲料用容器内にストローを組み込み、所期の目的の用に供する場合、所定の蓋を開封すると、ストローが自動的に飛び出す方式の飲料用容器に関するものである。
【背景技術】
【０００２】  従来の紙パック等を用いた清涼飲料は、ストローが全く別になっているかまたは容器の外側に包装され添付されていた。（図２）
【考案の開示】
【考案が解決しようとする課題】
【０００３】  しかしながら、これを目的の用に供する場合、容器から分離し所定の箇所に差し込むという動作が必要であり、両手を使わずにこの動作をするのはほとんど不可能である。
【課題を解決するための手段】
【０００４】  そこで、ストローの一定部分を蛇腹方式とし、この蛇腹部分をバネとして、所定の部分を開封すると同時に、当該ストローの吸い口部分が飛び出す方式を採用した飲料容器を考案した。（図１）
これにより、ワンタッチで飲用の目的に供する状態とすることが可能となる。
【考案の効果】
【０００５】  よって、容器側からストローを分離し所定の箇所に差し込むという動作が不要となり、片手で即座に所期の目的を達成できることになる。
さらに、蓋の開閉構造を可逆的にすることで、ストローを再収納することにより再密封することができることから、飲み残した場合でもバッグなどに入れ、難なく持ち運びが可能となる。
【考案が実施するための最良の形態】
【０００６】  本考案に係るストローは、図１に示すとおり所定の部分を高分子材料の弾性を利用したバネとするため蛇腹形状とする。
この蛇腹の部分を押し込み、圧縮した状態で収納する形式とする。
【図面の簡単な説明】
【０００７】
【図１】  本考案に係るストロー内蔵の飲料容器の断面図である。
【図２】  従来の飲料容器の断面図である。
【符号の説明】
【０００８】  １  ストロー
２  開閉式蓋
３  空気孔
１０  容器本体
Ｇ  蛇腹（バネ状）の部分
【図１】
0003118806.tif 000003
【図２】
0003118806.tif 000004
(57)【要約】【目的】  枕カバーで２つの枕を１つにした枕【構成】  筒型の枕カバーに２個の内枕を左右より入れた枕【選択図】図１
0003118809.tif 000002
【実用新案登録請求の範囲】
【請求項１】
枕カバーで、２つの枕をひとつに合体した枕
【請求項２】
中心部上下にミシン目を入れた枕２個入りの筒状の枕カバー
【考案の詳細な説明】
【発明の詳細な説明】
１．この発明は枕カバーで２つの枕をひとつに合体させた枕に関するものである。
２．従来の枕は真ん中のふくらみのある部分に頭を当てていたために首が前に圧迫されて苦しかった。
３．この発明はその欠点を除くためになされたもので、これを図面について説明すれば  図１、中心部ミシン目を入れた筒状の枕カバーを作り左右より内枕１．２を入れる。図２、のように枕カバーのへりを巻入れて完成。
４．上向きに寝る時は図２Ａに頭をのせる、左右の内枕より頭が支持されて首が圧迫されずしっかりと固定される。寝返りをして横向きの時は図２ＡＢどちらでも良い。
５．内枕の中綿はポリ綿、羽毛、そば殼、低発泡ウレタン、その他何でも適合するものであればよい
６．この考案は、２点で頭部を支えるため圧迫されずに首が安定、肩がすっぽり入ってこらずに暖かい、頭部は２つの枕のすき間があるため熱が発散しやす為、心地よい等の効果あります。
【図面の簡単な説明】
【図１】  本考案の部品と組立方
【図２】  本考案の完成図
【図３】  本考案の写真
【符号の説明】
Ａ内枕合体部のへこみ
Ｂ内枕の中心部
【図１】
0003118809.tif 000003
【図２】
0003118809.tif 000004
【図３】
0003118809.tif 000005
(57)【要約】【課題】車椅子に腰掛けて乗ったときに、ズボンなどの脚衣の前身頃裾上がりを防止し、脚首を見せない車椅子用脚衣を提供する。【解決手段】腰から脚首にかけて左右別々に覆うズボン、スラックス、パンタロンなどの脚衣１の膝関節相当高さ位置に、前身頃２の後身頃３側から膝頭側へ指向する１本または２本以上の襞を縫製した車椅子用の脚衣。【選択図】図１
0003118808.tif 000002
【実用新案登録請求の範囲】
【請求項１】
腰から脚首にかけて左右別々に覆う脚衣の膝関節相当高さ位置に、前身頃の後身頃側から膝頭側へ指向する１本または２本以上の襞を縫製した事を特徴とする車椅子用脚衣。
【考案の詳細な説明】
【技術分野】
【０００１】  本考案は、体の振る舞いや歩行に不自由な高齢者や障害者が車椅子を利用して散歩や買い物など移動する際に着用されるズボン、スラックス、パンタロン、パンツなどの車椅子用脚衣に関するものである。
【従来技術】
【０００２】  高齢化社会が進む中で高齢者も若者も、障害をもつ人もそうでない人も、全ての人が普通の生活が送られる様に、例えば人通りの多いデパートや街角においては、高齢者や障害者の生活や活動に不便な障害を取り除くために、階段や段差の一部をスロープ通路に代えるなど、福祉の街作りが積極的に進められている。また阪神・淡路大震災以後、社会をより良くするために、自分の技能と時間を自主的に無報酬で提供するボランティア活動が高まり、参加する人が増え、介護人が車椅子に乗った高齢者や障害者らに付き添いながら街や公園を散策する光景を多く見かける様になった。また健常者が車椅子を試乗体験し、障害者らと同じ目線で作り上げた便利な介護用品も多く出回っている。その車椅子は、材質にアルミナを使用し非常に軽く、デザインも改善されカラフルになり、使う人の身長や体の大きさに応じて枠組みフレームの形、座巾、背もたれの長さや足台などその人の体の状態に合わせて調整可能になり、段差解消機や階段昇降機を備えたものもある。また車椅子を乗って外出する場合の外出着も、伸縮性素材で、脱ぎ易い様に大きいボタンの前開き服、袖通し易い様に袖付けが大きめの服、着着崩れしない様に衿も大き過ぎるよりも小さめの服、注射や点滴のときに便利な袖口が開く服など、お洒落で多くの種類の車椅子着用服が市販されている。
【０００３】  また車椅子に腰掛けたまま穿けるズボン、スラックス、パンタロン、パンツなどの車椅子用脚衣についても、例えば特開２００５−１３３２６１号公報は腰の曲がった人でも背部を露出する事のない介護ズボンを提供するもので、その要旨は、特許請求の範囲を要約して「前身頃のウエストラインを股ぐり線側が１／４ウエストよりも低く脇線側が１／４ウエストよりも長く傾斜させ、後身頃のウエストラインを１／４ウエストよりも高く脇線側が１／４ウエストよりも長く傾斜させ、さらに後身頃を非切り取り股ぐり部とする、介護スボン」である。また雑誌「おしゃれな介護服」（平成１２月１１月５日、ブッティック社発行）の１３頁に「車椅子に腰掛けて乗ったとき、ズボンの裾がたくり上がって見せる脚首を隠すため、前身頃の裾を後身頃の裾よりも長めにしたズボン」が紹介されている。この他に「前ファスナーを下げズボンの前後を下ろした際に、ズボンが落ちない様に腰部にゴムベルトを付けた介護ズボン」など、多くの種類の便利な介護脚衣が創作されまた市販されている。
【特許文献１】特開２００５−１３３２６１号公報
【非特許文献１】「おしゃれな介護服」平成１２年１１月５日、ブッティック社発行
【考案が解決しようとする課題】
【０００４】  車椅子用脚衣の中でも前記した様に、前身頃の裾を後身頃の裾よりも長めにするズボンは、脚首が極端に細い障害者あるいは脚に外傷に負い包帯を巻いて歩けないの傷害者にとっては、人目を避ける好都合な車椅子用脚衣である。しかしながら、前裾が長過ぎる障害者などが車椅子を立ち上がって歩く場合に、脚元を隠し邪魔になって転倒し、二次災害を引き起こす危険性の問題があった。本考案は、この問題点を解消したズボン、スラックスなどの車椅子用脚衣を提供するものである。
【課題を解決するための手段】
【０００５】  本考案の要旨とは、腰から脚首にかけて左右別々に覆う脚衣の膝関節相当高さ位置に、前身頃の後身頃側から膝頭側へ指向する１本または２本以上の襞を縫製した車椅子用脚衣である。
【考案の効果】
【０００６】  上記の様に縫製された本考案の車椅子用脚衣は、車椅子に腰掛けたときに襞部分が膝裏に隠されるため人に異様感を与える事がなく、しかも脚衣の膝関節部分に縫製した襞の伸縮作用によって膝に生地が取られて裾をたくり上げる事もなく、立ち上がって歩く状態と同様に脚首を完全に覆うため、脚元をスッキリさせ、冷たい冬の風にも脚首を冷やす事なく行動できる特長がある。
【考案を実施するための最良の形態】
【０００７】  以下、本考案の車椅子用脚衣について、図面を参照しながら詳細に説明する。
図１は本考案の一実施例で、左右を重ね合わせる様に折り畳んだ場合の車椅子用脚衣の外観図を示す。図１において１は脚衣で、前身頃２と後身頃３を点線で示す様に縫い合わせて腰から脚首にかけて左右別々に覆うズボン、スラックス、パンタロン、パンツなどの穿衣類で、通常の型通りの穿衣類の他に、背中が露出しない様に後ろ股上を深くした特殊な型の穿衣類、さらには前記した様に前身頃の裾を長くした穿衣類など如何なる型の穿衣類であってもよい。本考案において脚衣１の型については、特に限定するものでない。脚衣１には、膝関節相当高さ位置でかつ前身頃２の後身頃３側（縫い合わせの点線側）から膝頭側へ指向する方向へ布を縫い縮めた襞４が、脚衣１の大きさや着用する人の好みに応じて１本（条）または２本以上が縫製されている。本考案において襞４とはダーツ、ギャザー、マチ、プリーツなど別名で呼ばれるものであって、人が車椅子に腰掛けたとき、脚衣１の膝部分に縫製した襞４で形成される膨らみが、屈折した膝に布が纏わり付いて生じる前身頃２の裾上がりを防止する。また襞４の１本の長さと巾と長さについては、特に限定するもでなく、脚衣１の大きさと好みに応じて適宜に決められばよい。【０００８】  以上の様に縫製された本考案の車椅子用脚衣は、従来の健常者用のズボンや今日までの車椅子用脚衣などと同じ様に着用されるが、膝部分に縫製した襞４が、前身頃２の裾を上げるを防止する。従って、車椅子に腰掛けて乗った人の脚首を覆い隠して脚元をスッキリさせ、夏の暑い日差しや冬の冷たい風に直接曝される事もなく着用できる。また車椅子から立ち上がって歩行する場合も、脚元を隠し邪魔になる事もなく、通常の脚衣と同じ様に安心して着用できる。
【産業上の利用可能性】
【０００９】  本考案の車椅子用脚衣は、車椅子を利用する人のみに限らず、必要あれば健常者用のズボンにも利用できる。また前記した様に、腰部にゴムベルトを付けた介護ズボンや後ろ股上を深くした介護スボンなどにも本考案車椅子用脚衣の襞を縫製する事で、介護に便利な脚衣を提供できるなど、その汎用性は高く評価できる。
【図面の簡単な説明】
【００１０】
【図１】本考案の一実施例で、左右を重ね合わせる様に折り畳んだ場合の車椅子用脚衣の外観図を示す。
【符号の説明】
【００１１】  １  脚衣
２  前身頃
３  後身頃
４  襞
【図１】
0003118808.tif 000003
(57)【要約】【課題】  本考案は、携帯電話のイヤホンマイク端子に、イヤホンマイクのプラグをたやすく差し込みしやすいようにするために、イヤホンマイク端子の表面上部にスライド式の表面保護プレートを設ける。【解決手段】  本考案は携帯電話本体１のイヤホンマイク端子２の横に、両脇に突き出た縁５を残して上方を切り取り、底部に空間を造ってそこに表面保護プレート４を収めて、その位置からイヤホンマイク端子２の表面上部までの間を段差のあるつまみ６でスライドさせることによって、たやすくイヤホンマイクのプラグ３を差し込むことができる。【選択図】  図２
0003118802.tif 000002
【実用新案登録請求の範囲】
【請求項１】
携帯電話のイヤホンマイク端子の横に、突き出した縁を付けた空間を造って、その空間に表面保護プレートを収めて、その空間の位置からイヤホンマイク端子の表面上部までの間を表面保護プレートをスライドさせて、イヤホンマイク端子の表面上部を覆うようにすることを特徴とする携帯電話のイヤホンマイク端子の表面保護プレート。
【考案の詳細な説明】
【技術分野】
【０００１】  本考案は、携帯電話のイヤホンマイク端子の表面保護プレートによってスライドさせるようにした、携帯電話に関するものである。
【背景技術】
【０００２】  従来、携帯電話のイヤホンマイク端子の表面上部は、一端を固定されたゴム状の板で蓋をされていた。
【考案の開示】
【考案が解決しようとする課題】
【０００３】  従来の携帯電話のイヤホンマイク端子の表面上部を覆っているゴム状の板は、イヤホンマイクのプラグを差し込む際に、爪等でゴム状の板の端をひっかけてこじ上げていたが、ゴム状の板の端が爪等にひっかかり難く、時間がかかり、さらに、ゴム状の板なので度々開閉を繰り返している長い間にゴム状の板が途中で切れることがあった。従って、イヤホンマイクのプラグを差し込みしやすくするために改良して前述の欠点を解決しようとするものである。
【課題を解決するための手段】
【０００４】  本考案は、携帯電話のイヤホンマイク端子の横の空間からイヤホンマイク端子の表面上部までの間を、表面保護プレートをスライドさせることにより問題点を解決している。
【考案の効果】
【０００５】  上述の様に、本考案の携帯電話のイヤホンマイク端子の表面上部を表面保護プレートによってスライドさせることによって、爪等で無理にひっかけてこじ上げることもなく、簡単に早くイヤホンマイクのプラグを差し込むことができる。
【考案を実施するための最良の形態】
【０００６】  携帯電話のイヤホンマイク端子の横に、表面保護プレートを収めるために両脇に突き出た縁を残して上方を切り取り底部に空間を造って、その空間に表面保護プレートを収めて、その位置からイヤホンマイク端子の表面上部までの間をスライドさせる。
【実施例】
【０００７】  以下、添付図面に従って一実施例を説明する。
２はイヤホンマイク端子、３はイヤホンマイク端子に差し込むためのイヤホンマイクのプラグ、４はイヤホンマイク端子の横からイヤホンマイク端子の表面上部までの間をスライドさせるための表面保護プレート、５は表面保護プレートが携帯電話本体からはずれないようにするための突き出た縁を付ける。６は表面保護プレートをスライドさせやすくするために付けられた段差のあるつまみである。【０００８】  ７は携帯電話と表面保護プレートとの接触面であり、イヤホンマイクのプラグをイヤホンマイク端子から抜いてはずした際に、イヤホンマイク端子の表面を覆い保護するために、表面保護プレートをスライドさせてイヤホンマイク端子表面上部から表面保護プレートが動いてずれないようにするために、携帯電話本体と表面保護プレートとの接触面の本体側の面に永久磁石を付け、表面保護プレート側の面に鉄板を付ける。
【図面の簡単な説明】
【０００９】
【図１】  本考案の携帯電話のイヤホンマイク端子の表面保護プレートを使用した携帯電話の実施例を示す平面図である。
【図２】  本携帯電話の切断面Ａ−Ａにおいて矢印の方向から見た拡大断面図である。
【符号の説明】
【００１０】    １  携帯電話本体
２  イヤホンマイク端子
３  イヤホンマイクのプラグ
４  表面保護プレート
５  突き出た縁
６  段差のあるつまみ
７  携帯電話本体と表面保護プレートとの接触面で、携帯電話本体側に永久磁石、表面保護プレート側に鉄板を付ける
【図１】
0003118802.tif 000003
【図２】
0003118802.tif 000004
(57)【要約】      （修正有）【課題】腰のある研磨剤付きブラシの提供。【解決手段】歯石とりでは歯ブラシの毛先を短くし、その上に、マイクロファイバー繊維の綿状の繊維をまきつけ、溶着した。その上対象物に常に直角に、力点の力を支点からのモーメントに変えてより大きな力で、効率よく磨けるように、ブラシの対象物に当たる点を作用点５、ブラシ部分を回転軸より放射線状に角度を設け、回転軸の最下部に支点７を設け、回転軸の上にカバーに筒を設け、回転軸が自在に３６０度回転できる構造とした。回転軸とカバーの接触面を力点６とした。力点の力が作用点５に及ぶ力と支点７とブラシ間の距離のモーメントを受けて、小さな力で大きな力で磨けるようになった。【選択図】図１
0003118810.tif 000002
【実用新案登録請求の範囲】
【請求項１】
ブラシの毛先の上に研磨剤の繊維たわしあるいは起毛した繊維、糸綿、不織布をブラシと一体に溶着あるいは絡ませた繊維を溶着接合した上でさらに体積を増すように、複数回溶着加工を施して接合した構造のブラシや歯石取りブラシ
【請求項２】
「請求項  １」の上述のブラシで溶出物試験を満足するマイクロファイバー繊維をブラシに絡ませ、溶着し、さらにマイクロ繊維を２重以上からませて溶着加工する考案によって、多数の歯の歯石を除去することを可能にし、かつブラシが常に対象とする歯の歯石、歯垢に直角に当たるようにブラシ全体が柄の下部の支点となる部位で３６０度回転する構造を加味し、取り難い歯石にぴたっと当たって、安全で簡単に使えるようにした歯石取りブラシ。
【考案の詳細な説明】
【技術分野】
【０００１】ブラシ、歯ブラシ、研磨剤
【背景技術】
【０００２】便器磨き、窓ふき、歯ブラシは、従来ブラシが使われ、ブラシでは汚れの除去が効果的に行えない場合には、スポンジ状のものの上に、研磨剤付きたわし機能の不織布を巻きつけたものが使われてきた。
【考案の開示】
【考案が解決しようとする課題】
【０００３】ブラシでは洗浄方法が点と線によることから、一方研磨剤付きスポンジたわしでは面による洗浄方法ではあるがスポンジの腰の弱さゆえの洗浄対象部位に押し付ける力の不足から、それぞれ頑固な汚れ、サビ、歯垢、歯石などの除去は容易でない。
【課題を解決するための手段】
【０００４】効果的に汚れを除去するように、摩擦力を安定的にあげるためには、適度にブラシなどを洗浄対象部位に押し付ける力、毛の洗浄対象部位との接触面の研磨力、ブラシなどの洗浄対象部位への安定的な接触という３条件が必要となる。従来のブラシでは点と線による洗浄方法で毛束と毛束の間が磨きにくく、そもそも毛先が洗浄対象部位に必ずしも直角に当たるわけではなく、満足のいく洗浄力を引き出せなかった。研磨剤付きスポンジ状たわしでは面による洗浄対象部位への接触が可能に思えるが、面による接触とは言え、必ずしも平面でない対象物を平面洗浄するは効率がよくない。また押し付ける力の分散と研磨剤の下地のスポンジの腰の弱さから、やはり洗浄力を落としていた。そこでブラシと研磨剤付きスポンジたわしの長所を組合せブラシの持つ腰の強さと研磨剤付きスポンジたわしの研磨力を合わせ持った研磨剤つきブラシとした。ブラシに研磨剤をつけるには、研磨機能を有する不織布を巻きつけるか、ブラシ繊維の表面に溶着する手段を用いた。さらにブラシの洗浄対象部位への接触の安定化を図るためにはブラシが対象に向かって直角に店と面で当たることが効率的である。そこでブラシが不安定で対象物に当たるまでは３６０度ぐるぐると回転し、対象物に出会うとしっかりと捕らえ、常に洗浄対称部位の形状に回転対応することでブラシの「点と線」による接触という欠点を限りなく「面」による接触に近づけることで改善する。また、安定して高い洗浄力・研磨力を実現するため、回転に加えて梃子の原理を応用した。すなわち、モーメントは力点の力を受けるのではなく、ブラシの柄の下部に設けた支点からのを受け、大きな力で仕事をなせるように、回転する軸の上に、カバーを設け、回転軸がカバーとの隙間で自在に回転できるようにした。
【考案の効果】
【０００５】ブラシの腰の強さの上に研磨剤付きスポンジたわしの研磨力が加わり、回転軸が自在に動き、対象面を捉えて安定する構造と力点の力よりも大きなモーメントを受けて、対象面の汚れが容易に且つ効果的に落ちるようになった。
【考案を実施するための最良の形態】
【０００６】ブラシの毛先を短くし、強い腰を生かし、その上に研磨剤付きたわしを溶着によって接合した。【０００７】歯ブラシの毛を短くしたブラシの上に研磨剤付き繊維やマイクロファイバー繊維や綿状の繊維を溶着によって接合して歯石取りとした。【０００８】ブラシ部と把手とを分離し、把手部分を空洞にしてブラシの柄を把手部分に通した。ブラシ部分と柄との間に角度をつけ、毛先を作用点、角度をつけた個所を力点、把手とブラシの柄の部分との接触点を支点とする梃子の原理を効かせた。
【実施例】
【０００９】洗浄ブラシの毛先を短くした上に研磨剤付き不織布を巻きつけて溶着し、固定した洗浄ブラシの実施例【００１０】歯ブラシの毛先を短くしたブラシの上にマイクロファイバー繊維の綿状の繊維を溶着、あるいはブラシの上にミクロ繊維の布帛を溶着した実施例。
【産業上の利用可能性】
【００１１】便器洗浄では黄ばみや、汚物の付着、カルキの付着を如何に効果的に除去するかが大問題であるが、従来便器特有の複雑な形状ゆえに従来のブラシや研磨剤付きスポンジたわしでは効果的な洗浄除去が実現できなかった。この考案では、サンプルによる検証の結果から、画期的に洗浄除去力が向上しており、かつ溶着加工技術も成功しており、産業の利用は即可能である。【００１２】歯ブラシの際の磨き残しが歯垢や歯石となると頑固で取りにくい。この考案では安全で、出血の危険もなく歯垢、歯石が取れるようになるので、誰でも安心して利用可能である。従って従来歯科医師や歯科衛生士の手に委ねられてきた歯垢，歯石除去が一般家庭でも実施可能となり、需要家数という点でも飛躍的に市場規模を拡大する可能性が極めて高い。
【図面の簡単な説明】
【００１３】
【図１】側面から見たブラシの上に研磨剤たわしを溶着し、かつ３６０度回転して、対象洗浄便器に直角に当たる構造を加味した考案の実施例を示す図
【図２】「００１３」の上述の考案の実施例を真上から見た図
【図３】マイクロファイバー繊維を歯ブラシの毛を短く切ったブラシに絡ませて、ブラシと溶着し、さらにマイクロファイバー繊維を積層して多数の歯の歯石を取れるように考案した考案の実施例を示す図。
【符号の説明】
【００１４】１    ブラシの柄
２    ブラシ
３    研磨剤付き不織布たわし
４    溶着部位
５    作用点
６    力点
７    支点
８    マイクロファイバー繊維の綿状繊維
ａ    力点から支点までの距離
ｂ    力点から作用点までの距離
ｃ    支点から屋要点までの距離
Ｐ    力点で加えた力
【図１】
0003118810.tif 000003
【図２】
0003118810.tif 000004
【図３】
0003118810.tif 000005
(57)【要約】【課題】本考案は、滞留水を生じる従来の２槽式の貯水槽に対して、滞留水の解消が可能となる貯水槽を提供するものである。【解決手段】  ２槽式の貯水槽１に２槽を連通させるための連通管５を設置し、Ａ槽の流出口４ｂ、Ｂ槽の流入口３ｂを閉めて、水がＡ槽の流入口３ａから水槽に入り、連通管５を経由して、Ｂ槽の流出口４ａから水槽外に流れていく。【選択図】  図２
0003118891.tif 000002
【実用新案登録請求の範囲】
【請求項１】
仕切壁により仕切った２槽式の貯水槽において、片槽から流入し、他の片槽から流出できるように、片槽に流入口、他の片槽に流出口を設置し、さらに、２槽を連通させるための連通管を設置する貯水槽。
【考案の詳細な説明】
【技術分野】
【０００１】
本考案は、水道水等を貯留する水槽に関する。
【背景技術】
【０００２】
従来、配水池や受水槽等の貯水槽は、清掃等のメンテナンス作業を必要とする時に片側の槽のみ使用できるよう、中央に仕切壁を設けて２槽式にするのが殆どである。
【考案の開示】
【考案が解決しようとする課題】
【０００３】
しかしながら、図１に示すように、上述の貯水槽は、２槽のそれぞれに設置された流入口と流出口を経由し受・送水して各槽内で流量が小さくて滞留水を生じる欠点がある。
【課題を解決するための手段】
【０００４】
本考案は、独立した２槽を連結させる連通管を配置することにより、片槽の流入口から流入させ連通管を経由し他の片槽の流出口から流出させて、各槽に通過する流量を倍増にし、槽内の滞留水の解消を実現し、これにより上記課題を解決するものである。
【考案の効果】
【０００５】
本考案は、図２に示すように、Ａ槽、Ｂ槽を通過する流量は、図１に示す従来の貯水槽に比較して、約２倍となり、水槽内の滞留水の解消を図れる。
【考案を実施するための最良の形態】
【０００６】
図２に示すように、仕切壁２により仕切った２槽式の貯水槽１に対して、片槽（Ａ槽）に流入口３ａを、他の片槽（Ｂ槽）に流出口４ａを、さらにＡ槽とＢ槽を連通させる連通管５を設置する。使用に当たって、水が流入口３ａから貯水槽に入って、連通管５を経由して、流出口４ａから水槽外に流れていく。また、清掃等のメンテナンス作業を必要とする時に片側の槽のみ使用できるよう、水槽に常閉の流入口３ｂと流出口４ｂを設置する。
【図面の簡単な説明】
【０００７】
【図１】従来の貯水槽の伏図
【図２】本考案に係わる貯水槽の伏図
【符号の説明】
【０００８】
１・・・貯水槽
２・・・水槽の仕切壁
３ａ・・・流入管
３ａ・・・流入口
３ｂ・・・流入口
４・・・流出管
４ａ・・・流出口
４ｂ・・・流出口
５・・・連通管
６・・・水の流線
【図１】
0003118891.tif 000003
【図２】
0003118891.tif 000004
(57)【要約】【課題】裸足で歩く利用者の安全のためプールサイド歩行面に敷設した樹脂製シートにおいて、太陽光線による表面温度の上昇を抑制し、低温火傷などの障害を防ぐ。【解決手段】樹脂製シートの表面最外層に赤外線吸収剤または赤外線反射剤を混入した塗料を塗布して遮熱被膜を形成したことにより、太陽光線の直射を受けても熱線である近赤外線を吸収または反射することができ、従来より使用されていたシートに比べて１５％程度表面温度の上昇を抑制することが可能となる。【選択図】図１
0003118832.tif 000002
【実用新案登録請求の範囲】
【請求項１】
プールサイド歩行面に敷設される樹脂製シートの表面に遮熱塗料の被膜を形成し、太陽光線の照射によるシート表面温度の上昇を抑制することを特徴とした遮熱樹脂シート。
【考案の詳細な説明】
【技術分野】
【０００１】
本考案は、プールサイド歩行面に敷設される表面温度上昇を抑制する樹脂製シートに関する。
【背景技術】
【０００２】
屋内、屋外を問わずプールサイド、つまりはプール周囲の歩行面に樹脂製シートを敷設するケースが多くなっている。従来はコンクリート処理のままであったが、プール利用者が裸足で歩くため、つまづきによる怪我や表面が平滑なコンクリートを使用することが多いため濡れたコンクリート面で滑り転倒などの事故を防止する効果をねらったものである。
【０００３】
しかし、安全性には一定の効果があるものの、この敷設されたシートは夏の屋外では太陽光線の直射を受けると表面温度が急激に上昇し、真夏の日中では５０℃にもなるため、長時間接触すると低温火傷の危険があるという欠点があった。
【０００４】
この対策として敷設されるシート中に赤外線を反射する材料を配合したものが提案されているが、反射材が効率よく表面を覆うということは製造工程上無理があり、改善はみられるもののわずかなものでしかなかった。
【特許文献１】特開２００５−６８３９４号公報
【考案の開示】
【考案が解決しようとする課題】
【０００５】
解決しようとする問題点は、敷設されるシートの太陽光線照射による温度上昇を抑制することである。
【課題を解決するための手段】
【０００６】
本考案は、プールサイドの歩行面に敷設される樹脂製シート表面に遮熱性塗料で被膜を形成することにより、太陽光線によるシートの表面温度上昇を抑制することを特徴としている。
【０００７】
太陽光線のうち主として熱作用を及ぼすのは波長７００〜２５００ｎｍのいわゆる近赤外線と呼ばれる波長域の光線である。この熱作用を及ぼす光線の影響を阻止する方法として塗料内に赤外線吸収材又は赤外線反射材を配合した塗料により遮熱性を有する塗膜を形成する方法が知られている。
【０００８】
赤外線吸収剤としてはアルミニウム系化合物、ベンゼンジチオール型アンモニウム系化合物、チオ尿素誘導体、シアニン系化合物、アントラキノン系化合物、ポリメチン化合物が、また赤外線反射剤としてはアルミン酸亜鉛、アルミニウム、ステンレス、ニッケル、酸化チタン、シラスバルーン、セラミックバルーン、ガラスマイクロバルーン等がある。
【０００９】
また、シート材の樹脂としてはポリ塩化ビニル樹脂、ポリウレタン樹脂、ＥＶＡ樹脂などがあるが、樹脂材料は遮熱塗料との接着性、用途による物理強度により選択されるもので、これらに限定されるものではない。
【考案の効果】
【００１０】
本考案は太陽光線を吸収または反射することにより、樹脂のミクロブラウン運動を抑制するという利点がある。
【考案を実施するための最良の形態】
【００１１】
樹脂製シート表面で太陽光線の直射を受ける表面最外層に遮熱効果を有する塗料の被膜を形成することで、シート表面の温度上昇を抑制することを実現した。
【実施例１】
【００１２】
図１は、本考案の１実施例の断面図であって、１は遮熱効果を有する塗料による被膜層であり、２はプールサイド歩行面に敷設される樹脂製シート本体である。
【００１３】
図２は本考案の樹脂製シートの効果を測定する試験装置であり、試験は遮熱効果のある塗料被膜を有する実施例１と塗料被膜のない比較例１に赤外線ランプを２０ｃｍの距離から６０分間照射したときの検体の温度を測定比較した。
【００１４】
【表１】
0003118832.tif 000003
【００１５】
上記表１の結果より、遮熱効果を有する塗料被膜を形成した実施例１は比較例１に比べ約１０℃低い値を示し、遮熱効果が確認された。
【図面の簡単な説明】
【００１６】
【図１】本考案の遮熱塗料被膜を有するシートの断面図である。
【図２】本考案シートの遮熱試験装置である。
【符号の説明】
【００１７】
１    遮熱塗料被膜層
２    樹脂シート本体
３    断熱材ボックス
４    検体
５    赤外ランプ
６    温度測定点
【図１】
0003118832.tif 000004
【図２】
0003118832.tif 000005
(57)【要約】【課題】様々な使用場面に応じて使い分けることを可能とする、かんざし形状の装飾品を提供する。【解決手段】かんざし形状の装飾品には単数又は複数の孔又は空間があり、その孔又は空間もデザインのひとつと見なし、かんざし形状の装飾品単独で使用可能であるが、その孔又は空間を利用して既存の装飾品又は部品等を用い容易かつ自由に独自の多様なデザイン・アレンジを楽しむことが可能となる。それにより、様々な使用場面に対応できる。【選択図】図１
0003118833.tif 000002
【実用新案登録請求の範囲】
【請求項１】
単数又は複数の孔又は空間を有することを特徴とするかんざし形状の装飾品。
【考案の詳細な説明】
【技術分野】
【０００１】
本考案は、幅広い使用場面に対応可能なかんざし形状の装飾品に関するものである。
【背景技術】
【０００２】
従来のかんざし形状の装飾品は単独使用を前提としてデザインされていることが殆どであり、その為に様々な使用場面に応じて装飾品を揃える必要があった。
【非特許文献１】「櫛かんざし−岡崎智予コレクション」紫紅社  １９８９年
【考案の開示】
【考案が解決しようとする課題】
【０００３】
しかしながら、使用場面に応じて多くの装飾品を揃えるには経済面及び収納面で容易とはいえず、したがって、本考案の目的は、単独でも使用可能かつ多様なアレンジが可能であるかんざし形状の装飾品を提供することにある。
【０００４】
本考案のもう一つの目的は、既存の装飾品又は部品等を活用し、時間面及び経済面において容易かつ自由に独自のデザイン・アレンジを楽しめるかんざし形状の装飾品を提供することにある。
【課題を解決するための手段】
【０００５】
かんざし形状の装飾品が単数又は複数の孔又は空間を有することとする。その孔又は空間もデザインのひとつと見なし、かんざし形状の装飾品単独で装飾品として使用可能であるが、孔又は空間を利用して既存の装飾品又は部品等を用い容易かつ自由に独自の多様なデザイン・アレンジを楽しむことが可能となる。
【考案の効果】
【０００６】
上記の課題を解決するための本考案の手段によると、本考案によるかんざし形状の装飾品は本体に単数又は複数の孔又は空間を有する為、単独で装飾品として使用可能な上、孔又は空間を利用して既存の装飾品又は部品等を用い容易・自由にデザイン・アレンジを行うことも可能であり、様々な使用場面に対応できる。又、既存の装飾品又は部品に対しても、本来の使用法以外に新たに本考案によるかんざし形状の装飾品に融合した形で活用できるという利点が生まれる。
【考案を実施するための最良の形態】
【０００７】
既存の装飾品又は部品を本考案によるかんざし形状の装飾品の孔又は空間に装着又は貫通させて使用すれば、本考案によるかんざし形状の装飾品を単独で使用するだけで無く、容易・自由に独自のデザイン・アレンジが実現出来、又、既存の装飾品又は部品の活用が出来る。
【実施例１】
【０００８】
図１は、図３の孔に既存のブレスレット及びリングを貫通・装着したものである。
【０００９】
図２は、図３の孔に既存のタイピンを装着したものである。
【００１０】
図３は、本考案によるかんざし形状の装飾品のうち孔を複数有するものの一例である。
【実施例２】
【００１１】
図４は、図６の空間に既存のネックレスを貫通・装着したものである。
【００１２】
図５は、図６の空間に既存のチェーン及びリングを貫通・装着したものである。
【００１３】
図６は、本考案によるかんざし形状の装飾品のうち空間を複数有するものの一例である。
【図面の簡単な説明】
【００１４】
【図１】本考案の実施方法を示した説明図である。（実施例１）
【図２】本考案の実施方法を示した説明図である。（実施例１）
【図３】本考案によるかんざし形状の装飾品のうち孔を複数有するものの一例の図である。（実施例１）
【図４】本考案の実施方法を示した説明図である。（実施例２）
【図５】本考案の実施方法を示した説明図である。（実施例２）
【図６】本考案によるかんざし形状の装飾品のうち空間を複数有するものの一例の図である。（実施例２）
【図１】
0003118833.tif 000003
【図２】
0003118833.tif 000004
【図３】
0003118833.tif 000005
【図４】
0003118833.tif 000006
【図５】
0003118833.tif 000007
【図６】
0003118833.tif 000008
(57)【要約】      （修正有）【課題】構造を簡素化し製造コストの低減をはかる。【解決手段】箱状のロールペーパー装着スペース６にロールペーパーを上から投入するだけで装着出来、滑り止め板２、と紙切り板３、の隙間４に指を入れペーパーをつまみ、滑り止め板２に当たらない方向に引き出し、必要な長さになったらペーパーを滑り止め板２と紙切り板３に、当たる様に下方に引くと滑り止め板２に掛かりこれ以上紙が出なくなり、更に紙を下方に引くと紙切り板３で紙が切れる。【選択図】図１
0003118979.tif 000002
【実用新案登録請求の範囲】
【請求項１】
本体が箱状の容器の上部から、ロールペーパーを投入するだけ（巻紙受け軸を使用しない）で、装着出来る紙巻器。
【請求項２】
本体に滑り止め板、紙切り板が固定されているか、或いは本体と滑り止め板、紙切り板が一体化している紙巻器。
【請求項３】
滑り止め板と、紙切り板の間に、指が入るだけの間隔を開け、ペーパーをつまみ出し易くした紙巻器。
【請求項４】
紙切りに関係のないカバーの上を平らにし、予備のロールペーパー等が置ける、置き台にした紙巻き器。
【請求項５】
滑り止め板の片方を（紙を切る時引く側、本図では左側）高くした請求項２の紙巻器。
【考案の詳細な説明】
【産業上の利用分野】
【０００１】  本考案は、トイレットのロールペーパー用紙巻器に関するものである。
【背景技術】
【０００２】  巻紙受軸を使用しない紙巻器に、ロールペーパーを本体の前から、装着する方法は、特許公開２００４−４９５７６、がある【０００３】  そして、片手で紙切り等が出来る紙巻器は、登録実用新案第３０６０７７４号、実用新案公開平６−３６４９０、外数件前例があるが総じて、構造が複雑で製造コスト高になっていると思われる。
【考案の開示】
【考案が解決しようとする課題】
【０００４】  解決しようとする問題点は、背景技術でも記したが、片手で紙を引き出し、片手で切り取る方法は数件出ているが、構造が複雑で製造コストが掛かりすぎる。片手で操作出来る機能を持ちながら、構造を簡素化し製造コストを低減する。
【課題を解決するための手段】
【０００５】  本考案は、本体が箱状になっていて、巻紙受軸を使用しない構造だから、本体の上からロールペーパーを投入するだけで、装着することが出来る。【０００６】  本体の手前中間部に、ペーパーの滑り止め板と、紙切り板を指が入る間隔で設置する。【０００７】  滑り止め板と紙切り板の間に、指を入れて紙をつまみ出し滑り止め板に当たらない方向（図２のＡの方向）に引き出し、必要な長さになったら滑り止め板と紙切り板に当たる方向（図２のＢの方向）に下げる、滑り止め板に紙が当たると、それ以上紙が出なくなり、更に紙を下方（図２のＣ方向）に下げると、紙切り板で紙を切る事が出来る。
【考案を実施するための最良の形態】
【０００８】  上記の様にロールペーパーを投入（紙を引っ張るとロールペーパーが反時計廻りに回転する方向）し、紙の引き出しから切り取りまで片手で出来る機能は残して、構造を簡単にした図１、又従来は、カバーの先端で紙を切っていた為、カバーを他の目的に使用する事が出来なかったが本考案では、カバーを使用する事がない為予備のロールペーパー置き台に使える様にした。
【実施例】
【０００９】  以下図面に従って実施例を説明する。図１の様に巻紙受け軸（図示せず）が無いためローールペーパー５を投入するだけで装着出来る図２。【００１０】  使用していると、紙の端が紙切り板３に掛かっているから、滑り止め板２と紙切り板３の間の隙間４に指を入れてペーパーをつまみ、滑り止め板２に当たらない方向（図２のＡの方向）に引き出し必要な長さになったら図２のＢの方向に下げ、滑り止め板２に紙が掛かると、紙がそれ以上出てこなくなり、さらに図２のＣの方向に紙を引き下げると紙が切れる。
【考案の効果】
【００１１】  本考案の紙巻器は構造が簡単だけど、片手で使用出来る機能を堅持している。
又、従来はカバーでロールを押えて切っていた為ロールが小さくなると奇麗に切れなくなっていたが、本考案の紙巻器はロールの大小に関係なく最初から最後まで同じ位置で切り取る為同一条件で切り取る事が出来る。
又、材料にステンレス等使用せず、樹脂成形で製作する事により本体と滑り止め板、紙切り板、が一体化出来１回の成形で、全て（カバーは除く）が出来る為、生産コストがおさえられる。又、他に部品が無いため組み立て作業が不要で生産コスト低減がより大きい。
【図面の簡単な説明】
【００１２】
【図１】  本考案の紙巻器全体の斜視図。
【図２】  ロールペーパー装着時の側面図及び紙を引く３方向を示す。
【符号の説明】
【００１３】  １  紙巻器本体
２  滑り止め板
３  紙切り板
４  滑り止め板と紙切り板の隙間（指を入れて紙をつまみ出す空間）
５  ロールペーパー
６  ロールペーパー装着スペース
７  カバー兼予備のロールペーパー置き台
Ａ、Ｂ、Ｃ、は紙を引っ張る方向を示す
【図１】
0003118979.tif 000003
【図２】
0003118979.tif 000004
【手続補正書】
【提出日】平成17年8月24日(2005.8.24)
【手続補正１】
【補正対象書類名】実用新案登録請求の範囲
【補正対象項目名】全文
【補正方法】変更
【補正の内容】
【実用新案登録請求の範囲】
【請求項１】
ロールペーパーを上部から投入出来る様、本体の上部があいた、箱状の容器である事を、特徴とする紙巻器。
【請求項２】
滑り止め板２と、紙切り板３が本体と一体化している事を特徴とする、請求項１記載の紙巻器。
【請求項３】
滑り止め板２と、紙切り板３の間に、指が入るだけの隙間４を開け、ペーパーをつまみ出し易くした事を特徴とした請求項２の紙巻器。
【請求項４】
ロールペーパー投入後に、本体上部に平らなカバー７を置き予備のロールペーパー等を置ける様にした事を特徴とした請求項１記載の紙巻器。
【請求項５】
ペーパーを手前に引きながら切る時、ペーパーがたるまない様滑り止め板２、の手前を高くした事を特徴とした請求項２記載の紙巻器。
(57)【要約】【課題】  間伐材等木質系材質のもつ強度．加工性．軽さを活かし、側溝蓋のがたつきを防止した木製蓋を提供する。【解決手段】本考案は間伐材等木質系の材質を正方形、もしくは長方形に加工し、複数個の角材１と角材１との間に平板鋼２を挟持させることにより重量物に耐えると同時に比重を重くする事により洪水による水害に対しても浮かないように構成させ、角材１．平板鋼２にボウルト孔３をボウルト４の径より大きめに貫通し、該孔３にボウルト４を挿入し、側溝設置面の若干の凹凸に従応させるべく連結した各材を微調整したのちナットを締め付け固定し側溝蓋のがたつきを防止してなる側溝蓋。【選択図】  図４
0003118972.tif 000002
【実用新案登録請求の範囲】
【請求項１】
間伐材等木質系の材質を正方形、もしくは長方形に加工し、複数個の角材を並列させ角材と角材との間に平板鋼を挟持させることにより強度の向上を図り、左右適宜位置にボウルト孔を大きめに貫通し、該孔にボウルトを挿入し各部材の微調整を可能に構成して、然るべきのちナットを介して締め付け固定させ、並列した角材の最初と最終の角材に雨水を流入させる透過孔（取っ手）を左右適宜位置に一．二ケ所設けてなる側溝蓋。
【考案の詳細な説明】
【技術分野】
【０００１】  本考案は側溝や水路の蓋に防腐処理した間伐材等木質系の材質と平板鋼を利用した側溝蓋に関するものである。
【背景技術】
【０００２】  従来側溝や水路の蓋はコンクリート製、もしくは表面処理した鉄製の蓋が使用されていたが、いずれも長期間使用し側溝内を清掃する為蓋を外し清掃作業終了後、再び蓋を元に戻しても最初のように馴染まず、車両や人が通るたびにがた，がたと音が発生して騒音を出す欠点があった。
【考案の開示】
【考案が解決しようとする課題】
【０００３】  間伐材等木質系の柔らかい感触を持つ木製蓋はコンクリートブロック、及び鉄製の蓋と違った感触を与えてくれる。又加工性にも優れ、重量的にも軽く前述の欠点を解決しようとするものである。
【課題を解決する為の手段】
【０００４】  本考案は間伐材等木質系の材質を正方形、もしくは長方形に加工し、複数個の角材を並列し角材と角材の間を平板鋼により挟持させ重量物に耐える構造とすると同時に比重を重くし洪水であっても水に浮かないように構成し、左右適宜位置にボウルト孔を大きめに貫通せしめ、該孔にボウルトを挿入し側溝設置面の若干の凹凸に従応させるべく連結角材を設置床面に合わせ微調整したのちナットと座板を介して締め付け固定し、連結した角材の最初と最終の材に雨水を流入させる透過孔（取っ手）を左右適宜位置に一．二ケ所設ける。尚この透過孔．及び取っ手は蓋を取り外す際のクランプ等の挿入口としても利用価値は大きいものである。
【０００５】  公園の遊歩道．水路等の側溝上に連結された複数個の角材を敷き詰めた場合、木質のもつ柔らかい感触がコンクリート、及び鉄製の硬さとは違った柔らかさを感じさせる。同時に木質系の為優れた加工性があり、重量も軽く作業性に富み、設置した後の歪みによるがたつきがあっても締め付けナットを緩め、設置床面の凹凸に添わせて再び締め付けるとがたつきが解消され騒音が発生し難い等多くの利点を有するものである。又遊歩道や水路等の比較的重量がかからない場所においては角材と角材の間に挟持する平板鋼は省くものとする。
【０００６】  人工林である山林の間伐材を放置させるのではなく、これを有効活用させる為正方形．もしくは長方形に加工し、所望寸法に切断し複数個の角材と平板鋼をボウルトを介して持ち運び可能に組み合わせ連設させ雨水を流入させる透過孔（取っ手）を最初と最終の左右適宜位置に一．二ケ所設けたものを設置する。
【実施例】
【０００７】  以下、添付図面に従って一実施例を説明する。１は正方形．もしくは長方形に加工した間伐材、２は角材と角材の間を挟持する平板鋼であり、３はを連結する孔であり、左右適宜位置にボウルト孔をそれぞれ貫通する、この際挿入するボウル４より大きめの孔を貫通する。４はこの孔に挿入するボウルトであり、５はボウルト頭、及び締め付けナットが間伐材に埋没するように盗み孔を開ける。６は雨水透過孔（取っ手孔）である。【０００８】  ７は側溝本体であり、８は蓋を設置する設置受け片である。【０００９】  本考案の実施例は上述のごとき構成からなるものであるから、資源の再利用を目的として間伐材等木質系の材質を利用した側溝用の蓋を得ようとするものである。
【図面の簡単な説明】
【図１】    本考案に係わる側溝蓋の平面図である。
【図２】    本考案に係わる側溝蓋の側面図である。
【図３】    本考案に係わる側溝蓋の並列平面図である。
【図４】    本考案に係わる側溝蓋の斜示図である。
【符号の説明】
１    間伐材
２    平板鋼
３    連結する孔
４    ボウルト
５    盗み孔
６    雨水透過孔（取っ手孔）
７    側溝本体
８    設置受け片
【図１】
0003118972.tif 000003
【図２】
0003118972.tif 000004
【図３】
0003118972.tif 000005
【図４】
0003118972.tif 000006
【手続補正書】
【提出日】平成17年9月15日(2005.9.15)
【手続補正１】
【補正対象書類名】実用新案登録請求の範囲
【補正対象項目名】全文
【補正方法】変更
【補正の内容】
【実用新案登録請求の範囲】
【請求項１】
間伐材等木質系の材質を正方形、もしくは長方形に加工し複数個の角材を並列させ角材と角材との間に平板鋼を挟持させることにより強度の向上を図り、左右適宜位置にボウルト孔を大きめに貫通し、該孔にボウルトを挿入し各部材の微調整を可能に構成して、然るべきのちナットを介して締め付け固定させ、並列した角材の最初と最終に雨水を流入させる透過孔を左右適宜位置に一、二ケ所設けてなる側溝蓋。